(57)【特許請求の範囲】
【請求項１】
複数の発光素子を長手方向に並べて実装した表面を有する基板と；
前記基板の裏面に接触した表面を有する底板部およびこの底板部の前記長手方向と直交する幅方向の両端に設けられた一対の側板部を一体に有するシャーシと；
前記一対の側板部の外面および前記基板の表面を覆う透光性のカバーと；
前記カバーの前記長手方向に連続して前記カバーの内面から前記一対の側板部の前記外面に向けて突出して設けられ、前記側板部の前記外面と前記カバーの前記内面との間の隙間を塞ぐシール部と；を具備しており、
前記カバーおよび前記シール部は、異なる樹脂材料による押出し成形により一体に形成され、前記長手方向と直交する方向の断面形状が前記長手方向の全長にわたって同じであることを特徴とする照明器具。
【請求項２】
前記シール部は、前記長手方向と直交する断面の形状が、前記シャーシの前記側板部の前記外面に接触する先端に向けて収束する形状であることを特徴とする請求項１記載の照明器具。
【請求項３】
前記シール部は、前記長手方向と直交する前記側板部の幅方向に互いに離間して複数本設けられていることを特徴とする請求項１または請求項２記載の照明器具。
【請求項４】
前記カバーは、前記シャーシの前記底板部と前記側板部の間の角部に対向する位置で当該カバーの前記内面から突出して前記底板部の前記表面に対向して前記長手方向に延びた突出片部を有し、
前記シール部は、前記シャーシの前記側板部の前記外面に対向する前記カバーの内面、前記突出片部が前記底板部の前記表面に対向する内面、および前記底板部と前記側板部の間の角部の外面に接触して設けられている、
ことを特徴とする請求項１記載の照明器具。
【発明の詳細な説明】
【技術分野】
【０００１】
本発明の実施形態は、例えば、天井などの被取付面に取り付けられる照明器具に関する。
【背景技術】
【０００２】
近年、ＬＥＤを長手方向に並べて実装した長尺の基板を備えた灯体（照明器具）を、天井に配設した本体に対して着脱可能に取り付けるタイプの照明装置が知られている。灯体は、例えば、基板の裏面を支持するシャーシと基板の表面を覆う透光性のカバーを有する。この灯体は、例えば、基板の裏面をシャーシに接触させて固定し、基板の表面を覆うカバーをシャーシに取り付けることで組み立てられる。
【先行技術文献】
【特許文献】
【０００３】
【特許文献１】特開２０１５−１５９０６２号公報
【発明の概要】
【発明が解決しようとする課題】
【０００４】
しかし、上述した長尺の照明器具では、自重により中央部が撓んでシャーシとカバーの間に微小な隙間が形成される場合があり、この隙間を介して小さな虫がカバー内に侵入する可能性がある。この場合、透明なカバーを外側から見たときに黒い点状物として見えてしまい、照明器具の見栄えが悪くなる。
【課題を解決するための手段】
【０００５】
実施形態に係る照明器具は、複数の発光素子を長手方向に並べて実装した表面を有する基板と、基板の裏面に接触した表面を有する底板部およびこの底板部の長手方向と直交する幅方向の両端に設けられた一対の側板部を一体に有するシャーシと、一対の側板部の外面および基板の表面を覆う透光性のカバーと、カバーの長手方向に連続してカバーの内面から一対の側板部の外面に向けて突出して設けられ、側板部の外面とカバーの内面との間の隙間を塞ぐシール部と、を具備しており、カバーおよびシール部は、異なる樹脂材料による押出し成形により一体に形成され、長手方向と直交する方向の断面形状が長手方向の全長にわたって同じである。
【発明の効果】
【０００６】
本発明によれば、カバーの内面に設けたシール部が、側板部の外面とカバーの内面との間の隙間を塞ぐことができ、カバー内への虫の侵入を防止でき、見栄えのよい照明器具を提供できる。
【図面の簡単な説明】
【０００８】
【図１】実施形態に係る灯体を備えた照明装置を示す斜視図である。
【図２】図１の照明装置の本体を示す斜視図である。
【図３】図１の灯体を本体側から見た斜視図である。
【図４】図３の灯体の分解斜視図である。
【図５】第１の実施形態に係る灯体の要部を示す斜視図である。
【図６】図５の要部を部分的に拡大して示す側面図である。
【図７】第２の実施形態に係る灯体の要部を示す斜視図である。
【図８】図７の要部を部分的に拡大して示す側面図である。
【図９】第３の実施形態に係る灯体の要部を示す斜視図である。
【図１０】図９の要部を部分的に拡大して示す側面図である。
【発明を実施するための形態】
【０００９】
実施形態に係る灯体２０、４０、６０は、複数の発光素子３３を長手方向に並べて実装した表面２４ａを有する基板２４と、基板２４の裏面２４ｂに接触した表面を有する底板部２２ａおよびこの底板部２２ａの長手方向と直交する幅方向の両端から底板部２２ａの裏面側に略直角に折り曲げられ互いに対向する内面を有する一対の側板部２２ｂを一体に有するシャーシ２２と、一対の側板部２２ｂの外面および基板２４の表面２４ａを覆う透光性のカバー２６と、カバー２６の長手方向の全長にわたって連続してカバー２６の内面から一対の側板部２２ｂの外面に向けて突出して設けられ、側板部２２ｂの外面とカバー２６の内面との間の隙間を塞ぐ弾性変形可能なシール部材２１、４１、６１と、を有する。
【００１０】
以下、図面を参照しながら実施形態について詳細に説明する。  
図１は、照明器具の第１の実施形態である灯体２０を備えた照明装置１００を示す斜視図であり、図２は、この照明装置１００の本体１０を示す斜視図であり、図３は、灯体２０を本体１０側から見た斜視図であり、図４は、灯体２０の分解斜視図である。
【００１１】
図１に示すように、照明装置１００は、天井や壁などの被取付面１に取り付ける本体１０、および本体１０に対して着脱可能に取り付ける灯体２０を有する。以下、照明装置１００を天井に取り付ける場合について説明する。
【００１２】
図２に示すように、照明装置１００の本体１０は、図示しないネジ等により被取付面１に固定される本体４を有し、本体４の被取付面１から離間した表面側には、灯体２０を取り付けるための凹部１０ａが設けられている。また、本体１０は、凹部１０ａ内に、電源回路５、端子台６、および２つの取付金具７を有する。電源回路５は、外部から供給される電力を灯体２０に対応した電力に変換する。端子台６は、灯体２０に接続可能な配線を有し、電源回路５からの電力を灯体２０へ供給する。２つの取付金具７は、本体１０の長手方向に離間して灯体２０に向けて突出して設けられている。
【００１３】
図３に示すように、灯体２０は、本体１０に対向する裏面側に２つのトーションバネ１２を備えている。２つのトーションバネ１２は、それぞれ、本体１０に設けた２つの取付金具７に対応して設けられている。各トーションバネ１２は、アダプタ１４（図３、図４）を介して灯体２０の後述するシャーシ２２に取り付けられている。シャーシ２２は、アダプタ１４を取り付けるための複数の取付孔２２ｄをその長手方向に沿って有する。つまり、アダプタ１４は、取付孔２２ｄの位置で、シャーシ２２の長手方向に沿った異なる位置に取り付け可能である。
【００１４】
灯体２０を本体１０に取り付ける場合、まず、灯体２０の裏面に設けた２つのトーションバネ１２をそれぞれ本体１０の２つの取付金具７に引っ掛ける。そして、トーションバネ１２を取付金具７に引っ掛けた状態（灯体２０と本体１０の間に隙間がある状態）で、本体１０の端子台６から導出された配線の図示しないコネクタと灯体２０側の図示しないコネクタを接続する。この後、トーションバネ１２をスライドさせつつ灯体２０を本体１０に押し込んで、トーションバネ１２の復元力により、灯体２０を本体１０に向けて付勢して取り付ける。
【００１５】
図４に示すように、灯体２０は、シャーシ２２、基板２４、カバー２６、および２つの端部材２８を有する。  
シャーシ２２は、比較的長尺の矩形の金属板の長手方向に沿った両端縁部を同じ方向（裏面側）に折り曲げて断面略Ｕ字状に形成されている。すなわち、シャーシ２２は、基板２４の裏面２４ｂに接触する底板部２２ａを有し、底板部２２ａの長手方向と直交する幅方向の両端から連続して基板２４から離れる方向に略直角に折り曲げた２つの側板部２２ｂを一体に有する。２つの側板部２２ｂの底板部２２ａから離間した端縁には外側にカールした嵌合部３１が設けられている。嵌合部３１は、シャーシ２２の全長にわたって設けられている。
【００１６】
基板２４は、比較的長尺な矩形板状に形成された単位基板３２を長手方向に複数枚（本実施形態では４枚）連結した構造を有する。単位基板３２の枚数は任意に設定可能であり、１枚の単位基板３２によって基板２４を構成してもよい。つまり、基板２４は、長手方向に複数に分割したパーツを組み合わせてもよいが、１枚の長尺な基板２４としてもよい。いずれにしても、基板２４の長さは、シャーシ２２より短い。
【００１７】
基板２４のシャーシ２２から離間した表面２４ａには、複数の発光素子３３が長手方向に離間して２列に実装されている。また、基板２４の表面２４ａには、複数の発光素子３３を接続した図示しない配線パターンが設けられている。発光素子３３は、例えば配線パターンに接続したＬＥＤチップを樹脂により基板２４の表面２４ａに封止して形成されている。また、基板２４の長手方向の一端には、複数の発光素子３３に給電するためのコネクタ３４が取り付けられている。
【００１８】
シャーシ２２の底板部２２ａは、基板２４の長手方向に沿った両端縁部を固定するための複数の固定爪２２ｃを有する。固定爪２２ｃは、底板部２２ａを部分的に切り起こして形成されており、基板２４の両端縁部に向けて折り曲げられる。また、シャーシ２２の一対の側板部２２ｂは、上述したアダプタ１４を取り付けるための複数の取付孔２２ｄを有する。取付孔２２ｄは、側板部２２ｂを貫通して設けられている。
【００１９】
カバー２６は、樹脂材料の押出し成形により形成される。本実施形態では、カバー２６は、図６に示すように、透明な樹脂により形成した透光性部分２６ａと不透明な樹脂により形成した不透光性部分２６ｂを有する。いずれにしても、カバー２６は、その全長にわたって同じ断面形状を有する。カバー２６は、押出し方向（すなわち長手方向）に沿った中央部がドーム状に膨出した断面形状を有する。カバー２６の長手方向に沿った両端縁部には、シャーシ２２の嵌合部３１に外側から係合する係合板部３７が設けられている。すなわち、係合板部３７は、カバー２６の全長にわたって連続して設けられている。
【００２０】
２つの端部材２８は、同じ構造を有し、互いに１８０°反転した向きで取り付けられる。２つの端部材２８は、例えば超音波溶接によりカバー２６の長手方向の両端に固定され、カバー２６の長手方向の端部を塞ぐ。端部材２８は、図３に示すように、カバー２６の両端の略全体に重なるが、カバー２６の一対の係合板部３７には重ならない形状を有する。
【００２１】
上述した灯体２０を組み立てる場合、まず、カバー２６の長手方向の両端に２つの端部材２８を取り付ける。また、シャーシ２の底板部２２ａの表面に基板２４の裏面２４ｂを接触させて配置し、底板部２２ａに設けた複数の固定爪２２ｃを基板２４に向けて折り曲げて、基板２４をシャーシ２２の底板部２２ａに固定する。そして、基板２４を覆うようにカバー２６をシャーシ２２に取り付ける。
【００２２】
このとき、シャーシ２２の２つの側板部２２ｂにそれぞれ設けた嵌合部３１にカバー２６の係合板部３７が外側から係合し、シャーシ２２とカバー２６が互いに固定される。つまり、カバー２６をシャーシ２２の一対の側板部２２ｂの外側に被せると、カバー２６の係合板部３７がシャーシ２２の嵌合部３１によって外側へ押し広げられる状態に弾性変形し、嵌合部３１を乗り越えた時点で元の形状に復帰して係合板部３７が嵌合部３１に係合する。
【００２３】
図５は、第１の実施形態の灯体２０の長手方向の端部から端部材２８を取り除いた状態の斜視図であり、図６は、図５の要部を部分的に拡大した側面図である。灯体２０は、シャーシ２２とカバー２６の間に長手方向に連続した２つの細長いシール部材２１（シール部）を備えている。シール部材２１は、弾性変形可能な材料により形成される。本実施形態では、カバー２６とシール部材２１を異なる樹脂材料を用いた押出し成形によって一体成形し、カバー２６の内面から側板部２２ｂの外面に向けてシール部材２１を突設した。このため、シール部材２１の長手方向と直交する方向の断面形状は、長手方向の全ての位置で同じ形状となる。
【００２４】
シャーシ２２は、アルミニウムなどの熱伝導性の良好な金属板を形状加工して折り曲げることで形成され、カバー２６は、樹脂の射出成形により形成される。灯体２０に給電して複数の発光素子３３が発光すると、複数の発光素子３３の熱が基板２４を介してシャーシ２２に伝わって放熱され、シャーシ２２およびカバー２６が加熱される。このとき、金属製のシャーシ２２と樹脂製のカバー２６の熱膨張率の違いにより、シャーシ２２とカバー２６の接触部分に応力が作用して軋み音が発生するおそれがある。
【００２５】
また、シャーシ２２およびカバー２６の長手方向の端部は、端部材２８によって覆われない部分（すなわち側板部２２ｂおよび係合板部３７）を有するため、この部分から側板部２２ｂの外面と係合板部３７の内面との間の隙間Ｓに小さな虫が侵入する可能性がある。また、シャーシ２２の側板部２２ｂに設けた上述した複数の取付孔２２ｄは、アダプタ１４を取り付けていない状態でシャーシ２２の側板部２２ｂを貫通しているため、この取付孔２２ｄを介して隙間Ｓに小さな虫が侵入する可能性がある。
【００２６】
本実施形態では、シャーシ２２とカバー２６の間に弾性変形可能な細長いシール部材２１を設けることで、上述した「軋み音」や「虫の侵入」を防止するようにした。  
カバー２６は、シャーシ２２の底板部２２ａと側板部２２ｂとの間の角部２２ｅの外側に対向する位置でカバー２６の内面から突出してシャーシ２２の底板部２２ａの表面に対向した一対の突出片部３８を有する。各突出片部３８は、カバー２６の長手方向に連続し、シャーシ２２の底板部２２ａと略平行に延び、底板部２２ａの角部２２ｅに近い領域を覆う。つまり、一対の突出片部３８は、底板部２２ａの表面に沿って、基板２４の中心に向けて互いに向かい合う方向に突出している。
【００２７】
そして、シール部材２１は、弾性変形により圧縮された状態で、シャーシ２２の側板部２２ｂの外面に対向するカバー２６の内面２２ｆ、突出片部３８がシャーシ２２の底板部２２ａの表面に対向する内面２２ｇ、およびシャーシ２２の底板部２２ａと側板部２２ｂの間の角部２２ｅの外面に接触して設けられる。つまり、シール部材２１は、シャーシ２２の角部２２ｅとカバー２６の内面２２ｆをシールするとともに、シャーシ２２の角部２２ｅとカバー２６の突出片部３８の内面２２ｇをシールするよう機能する。
【００２８】
また、シール部材２１は、弾性変形して圧縮した状態でシャーシ２２とカバー２６の間に配置され、その復元力によりシャーシ２２を外側から押圧する。シール部材２１によるシャーシ２２の押圧方向は、２方向の成分に分けて考えることができる。一方は、シャーシ２２の一対の側板部２２ｂの外面を互いに近付く方向に押す方向であり、もう一方は、シャーシ２２の一対の側板部２２ｂの嵌合部３１をカバー２６の係合板部３７の内側に押し付ける方向である。
【００２９】
一対のシール部材２１がシャーシ２２の一対の側板部２２ｂの外面を互いに向かい合う方向に押圧することで、シャーシ２２の側板部２２ｂの外面とカバー２６の内面の両方にシール部材２１が密着し、両者の間のシール性を高めることができる。これにより、小さな虫が隙間Ｓに侵入する不具合を抑制でき、灯体２０の見栄えをよくすることができる。また、シール部材２１がシャーシ２２の嵌合部３１をカバー２６の係合板部３７に押し付ける方向に押圧することで、シャーシ２２に対するカバー２６の取付強度を高めることができる。
【００３０】
また、本実施形態のようにシール部材２１をシャーシ２２とカバー２６の間に介在させることで、シャーシ２２に対するカバー２６の位置決め精度を低くすることができ、両者の間に位置ズレを生じた場合であっても、このズレを吸収することができる。このため、部品の寸法精度を低くでき、製造コストを安くできる。
【００３１】
さらに、本実施形態によると、シャーシ２２の底板部２２ａの表面とカバー２６の突出片部３８の内面２２ｇとの間にわずかな隙間を形成することができるとともに、シャーシ２２の一対の側板部２２ｂの外面とカバー２６の内面２２ｆとの間にもわずかな隙間を形成することができ、シャーシ２２とカバー２６の接触面積を小さくできる。これにより、シャーシ２２とカバー２６の熱膨張率の違いに基づく軋み音が発生する可能性のある接触部分を少なくでき、軋み音の発生を抑制できる。また、シール部材２１を間に挟んだ部位でシャーシ２２とカバー２６の間に熱膨張による長手方向に沿った応力が作用した場合であっても、シール部材２１が弾性変形することで応力を吸収でき、軋み音の発生を防止することができる。
【００３２】
図７は、第２の実施形態に係る灯体４０の長手方向の端部近くを示す斜視図であり、図８は、この灯体４０の要部を部分的に拡大した側面図である。本実施形態の灯体４０は、シール部材２１の代りにシール部材４１を備えている以外、上述した第１の実施形態の灯体２０と略同じ構造を有する。よって、ここでは第１の実施形態と同様に機能する構成要素には同一符号を付してその詳細な説明を省略する。
【００３３】
シール部材４１は、シャーシ２２の側板部２２ｂの外面に対向するカバー２６の内面２２ｆから側板部２２ｂの外面に向けて突出して設けられている。シール部材４１は、シャーシ２２の側板部２２ｂに設けた取付孔２２ｄより突出片部３８に近い位置でカバー２６の内面２２ｆから突設されている。シール部材４１は、カバー２６の突出片部３８には接触しない。シール部材４１は、カバー２６の材料とは異なる弾性変形可能な材料により、カバー２６と一体に成形される。このため、シール部材４１は、長手方向と直交する方向の断面形状が長手方向の全長にわたって同じであり、カバー２６の全長にわたって設けられている。シール部材４１の断面形状は、シャーシ２２の側板部２２ｂの外面に接触する先端に向けて収束する形状である。
【００３４】
本実施形態のシール部材４１は、弾性変形して圧縮された状態でシャーシ２２の側板部２２ｂの外面とカバー２６の内面２２ｆの間に介在され、その復元力によってシャーシ２２の側板部２２ｂの外面を押圧する。つまり、一対の側板部２２ｂの外面にそれぞれ対向して設けた２つのシール部材４１は、互いに近付く方向に押圧力を作用させるため、シャーシ２２の側板部２２ｂに密着し、シール性を高めることができる。
【００３５】
また、シール部材４１は、シャーシ２２の側板部２２ｂの外面とカバー２６の内面２２ｆの間に隙間を形成し、軋み音の発生源となる接触部分を少なくでき、且つ、両者の間に熱膨張率の違いに起因した応力が作用した場合であっても、弾性変形によりその応力を吸収でき、軋み音の発生を防止することができる。
【００３６】
図９は、第３の実施形態に係る灯体６０の長手方向の端部近くを示す斜視図であり、図１０は、この灯体６０の要部を部分的に拡大した側面図である。本実施形態の灯体６０は、シール部材４１に加えてシール部材６１を備えている以外、上述した第２の実施形態の灯体４０と略同じ構造を有する。よって、ここでは第２の実施形態と同様に機能する構成要素には同一符号を付してその詳細な説明を省略する。
【００３７】
シール部材６１は、シール部材４１と略同じ構造を有し、シール部材４１より突出片部３８から離れた位置に設けられている。シール部材６１は、シャーシ２２の側板部２２ｂの外面に対向するカバー２６の内面２２ｆから側板部２２ｂの外面に向けて突出して設けられている。つまり、シール部材６１は、シャーシ２２の側板部２２ｂの長手方向と直交する幅方向に互いに離間して設けられている。シール部材６１は、シャーシ２２の側板部２２ｂに設けた取付孔２２ｄより突出片部３８に近い位置でカバー２６の内面２２ｆから突設されている。シール部材６１は、カバー２６の材料とは異なる弾性変形可能な材料により、カバー２６と一体に成形される。シール部材６１の断面形状は、シャーシ２２の側板部２２ｂの外面に接触する先端に向けて収束する形状である。
【００３８】
本実施形態によると、シャーシ２２の側板部２２ｂの外面とカバー２６の内面２２ｆの間に二重のシール構造を設けることができ、両者の間のシール性をより向上させることができる。また、一対の側板部２２ｂの外面にそれぞれ対向して設けた２組のシール部材４１、６１は、互いに近付く方向に押圧力を作用させるため、シャーシ２２の側板部２２ｂに密着し、シール性を高めることができる。
【００３９】
また、シール部材４１、６１は、シャーシ２２の側板部２２ｂの外面とカバー２６の内面２２ｆの間に隙間を形成し、軋み音の発生源となる接触部分を少なくでき、且つ、両者の間に熱膨張率の違いに起因した応力が作用した場合であっても、弾性変形によりその応力を吸収でき、軋み音の発生を防止することができる。
【００４０】
以上のように、上述した実施形態の照明器具によれば、シャーシ２２の一対の側板部２２ｂの外面に向けて突出したシール部材２１、４１、６１をカバー２６の内面２２ｆに設けたため、シャーシ２２とカバー２６の熱膨張率の違いに起因した軋み音の発生を抑制でき、照明器具の品質を高めることができる。また、上述した実施形態によると、シャーシ２２の側板部２２ｂの外面とカバー２６の内面２２ｆとの間の隙間Ｓに侵入した小さな虫がカバー２６内に侵入する不具合を防止でき、照明器具の見栄えをよくすることができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下、本願の出願当初の特許請求の範囲に記載された発明を付記する。
［１］
複数の発光素子を長手方向に並べて実装した表面を有する基板と；
前記基板の裏面に接触した表面を有する底板部およびこの底板部の前記長手方向と直交する幅方向の両端に設けられた一対の側板部を一体に有するシャーシと；
前記一対の側板部の外面および前記基板の表面を覆う透光性のカバーと；
前記カバーの前記長手方向に連続して前記カバーの内面から前記一対の側板部の前記外面に向けて突出して設けられ、前記側板部の前記外面と前記カバーの前記内面との間の隙間を塞ぐ弾性変形可能なシール部と；
を具備していることを特徴とする照明器具。
［２］
前記カバーおよび前記シール部は、異なる樹脂材料による押出し成形により一体に形成され、前記長手方向と直交する方向の断面形状が前記長手方向の全長にわたって同じであることを特徴とする［１］記載の照明器具。
［３］
前記シール部は、前記長手方向と直交する断面の形状が、前記シャーシの前記側板部の前記外面に接触する先端に向けて収束する形状であることを特徴とする［１］または［２］記載の照明器具。
［４］
前記シール部は、前記長手方向と直交する前記側板部の幅方向に互いに離間して複数本設けられていることを特徴とする［１］乃至［３］のいずれか一記載の照明器具。
［５］
前記カバーは、前記シャーシの前記底板部と前記側板部の間の角部に対向する位置で当該カバーの前記内面から突出して前記底板部の前記表面に対向して前記長手方向に延びた突出片部を有し、
前記シール部は、前記シャーシの前記側板部の前記外面に対向する前記カバーの内面、前記突出片部が前記底板部の前記表面に対向する内面、および前記底板部と前記側板部の間の角部の外面に接触して設けられている、
ことを特徴とする［１］または［２］記載の照明器具。
【符号の説明】
【００４２】
１…被取付面、１０…本体、１４…アダプタ、２０、４０、６０…灯体、２１、４１、６１…シール部材、２２…シャーシ、２２ａ…底板部、２２ｂ…側板部、２２ｄ…取付孔、２２ｅ…角部、２２ｆ、２２ｇ…内面、２４…基板、２６…カバー、２８…端部材、３１…嵌合部、３３…発光素子、３７…係合板部、３８…突出片部、１００…照明装置、Ｓ…隙間。
【図１】
0006620632.tif 000002
【図２】
0006620632.tif 000003
【図３】
0006620632.tif 000004
【図４】
0006620632.tif 000005
【図５】
0006620632.tif 000006
【図６】
0006620632.tif 000007
【図７】
0006620632.tif 000008
【図８】
0006620632.tif 000009
【図９】
0006620632.tif 000010
【図１０】
0006620632.tif 000011